(57)【要約】【課題】電子基板のメインテナンスを容易に行なえる誘導加熱調理器を提供する。【解決手段】加熱調理器１０の誘導加熱部２０を支持する加熱部支持板３０の下方に配される複数の電子基板４０，４２，５０は基板支持台５２上に載置されて基板ユニット２４を構成している。ケーシング１６の前面で基板ユニット２４の前面に対向する箇所に開口部６３が設けられており、基板ユニット２４はこの開口部６３を介して出し入れ可能である。基板ユニット２４とケーシング１６内の各種電気部品は開口部６３近傍のコネクタパネル６２でコネクタ付きのケーブル５８によって着脱自在に接続されている。開口部６３を覆う操作パネル６４と基板ユニット２４は開口部６３の近傍でコネクタ付きのケーブル５４，５６によって着脱自在に接続されている。これらの電気的な接続は開口部６３で容易に着脱することができる。【選択図】　図３
2004103486.tif 000002
【特許請求の範囲】
【請求項１】
トッププレートと、
トッププレートの下方に配設された誘導加熱部と、
誘導加熱部の下方に配設されて誘導加熱部を支持する加熱部支持板と、
加熱部支持板の下方に配設されたグリルユニットと、
加熱部支持板の下方においてグリルユニットと並設され、複数の電子基板をサブアッシー化した基板ユニットと、
前記の誘導加熱部と加熱部支持板とグリルユニットと基板ユニットを収容し、前記トッププレートを支持するケーシングとを備え、
前記基板ユニットの前面に対向する箇所において前記ケーシングの前面に前記基板ユニットが通過可能な開口部が設けられていることを特徴とする誘導加熱調理器。
【請求項２】
基板ユニットとケーシング内の各種電気部品が前記開口部の近傍でコネクタによって接続されていることを特徴とする請求項１に記載の誘導加熱調理器。
【請求項３】
基板ユニットとケーシング内の各種電気部品が、基板ユニットが前記開口部からケーシング内の所定位置に収容されたときに、基板ユニット側接続部とこの基板ユニット側接続部が当接する箇所に設けられたケーシング側接続部とによって接続されることを特徴とする請求項１に記載の誘導加熱調理器。
【請求項４】
前記開口部を覆うパネルが配設されており、このパネルに各種操作スイッチが配設されており、このパネルと基板ユニットが前記開口部の近傍でコネクタによって接続されていることを特徴とする請求項２又は３に記載の誘導加熱調理器。
【請求項５】
基板ユニットの前方にパネルが形成されており、このパネルは基板ユニットがケーシング内に収容されたときに前記開口部を覆い、このパネルに各種操作スイッチが配設されていることを特徴とする請求項２又は３に記載の誘導加熱調理器。
【発明の詳細な説明】
【０００１】
【発明の属する技術分野】本発明は誘導加熱調理器に関し、詳しくは誘導加熱調理器のケーシング内に構成部品を収容する技術に関する。
【０００２】
【従来の技術】誘導加熱部とグリルユニットを備えた誘導加熱調理器が普及し始めている。この誘導加熱調理器は、ガス式の加熱調理器に比して、多くの電子部品を必要とし、多くの電子基板を必要とする。ガス式の加熱調理器の場合、ケーシング内に大きなスペースが確保され、電子基板の収容スペースにさほどの工夫を要しない。誘導加熱調理器の場合、ケーシング内に多くの構成部品を効率的に収容する技術が必要とされる。
特許文献１には、下方から誘導加熱部を支持する加熱部支持板の下方に複数の電子基板を収容する技術が開示されている。
【０００３】
【特許文献１】
特開２００１−１９０４２６号公報
【０００４】
【発明が解決しようとする課題】誘導加熱調理器のメインテナンスサービス時には電子基板にアクセスすることが求められる。従来の誘導加熱調理器の場合、トッププレートを取外し、誘導加熱部を取外し、加熱部支持板を取外することによってやっと電子基板にアクセスすることができ、作業性が悪い。
本発明は、電子基板のメインテナンスを容易に行える誘導加熱調理器を提供することを目的とする。
【０００５】
【課題を解決するための手段と作用と効果】本発明の誘導加熱調理器は、トッププレートと、トッププレートの下方に配設された誘導加熱部と、誘導加熱部の下方に配設されて誘導加熱部を支持する加熱部支持板と、加熱部支持板の下方に配設されたグリルユニットと、加熱部支持板の下方においてグリルユニットと並設され、複数の電子基板をサブアッシー化した基板ユニットと、誘導加熱部と加熱部支持板とグリルユニットと基板ユニットを収容してトッププレートを支持するケーシングとを備えている。
基板ユニットの前面とケーシングの前面は向かい合う。ケーシング前面のうち基板ユニット前面に対向する箇所には、基板ユニットが通過可能な開口部が設けられている。
【０００６】
この加熱調理器では、加熱部支持板の下方に配される電子基板が基板ユニットを形成している。電子基板がユニット化されているため、電子基板をケーシング内に収容したり取外したりする作業が容易であり、電子基板のメインテナンスの作業性が向上する。
この加熱調理器のケーシングの前面には、基板ユニットが通過可能な開口部が設けられており、基板ユニットはこの開口部から出し入れ自在となっている。このために、基板ユニットをケーシング内に収容したり取外したりするにあたってトッププレートと誘導加熱部と加熱部支持板を取外す必要がなく、電子基板のメインテナンスの作業性が向上する。
【０００７】
基板ユニットとケーシング内の各種電気部品が前記開口部の近傍でコネクタによって接続されていることが好ましい。
この場合、開口部の近傍に位置しているコネクタを外すことで基板ユニットとケーシング内の電気部品が分離され、基板ユニットを開口部から取外すことができる。逆に、基板ユニットを開口部からケーシング内に収容したあとに、開口部の近傍に位置しているコネクタを接続することによって基板ユニットとケーシング内の電気部品を接続することができる。電気的接続の接続分離作業が容易化される。
【０００８】
あるいは、基板ユニットが開口部からケーシング内の所定位置に収容されたときに、基板ユニット側接続部とこの基板ユニット側接続部が当接する箇所に設けられたケーシング側接続部とによって、基板ユニットとケーシング内の各種電気部品が接続される構造とすることもできる。
これによれば、基板ユニットを開口部から引出したり押入れたりすることができ、押入れることによってケーシング内の所定の位置に設置することができる。また、基板ユニットを所定の位置に設置することによって、基板ユニットとケーシング内の各種電気機器を電気的に接続させることができる。電気的接続の接続分離作業が容易化される。
【０００９】
さらに、開口部を覆うパネルが配設されており、このパネルに各種操作スイッチが配設されており、このパネルと基板ユニットが開口部の近傍でコネクタによって接続されていることが好ましい。
このような構成によれば、ケーシングの開口部を覆う操作パネルは、その後方に設置されている基板ユニットと開口部近傍でコネクタによって分離可能に接続されているため、コネクタを分離することによって操作パネルと基板ユニットを分離することができ、基板ユニットをケーシング内に収めたまま操作パネルを取外すことができるので、メインテナンス作業がさらに容易となる。
【００１０】
あるいは、基板ユニットの前方にパネルが形成されており、基板ユニットがケーシング内に収容されたときにそのパネルが開口部を覆うようにし、そのパネルに各種操作スイッチが配設されているようにしてもよい。
このような構成によれば、基板ユニットと操作パネルが一体化しているため、操作パネルを前方に引出すことによって基板ユニットも引出すことができる。基板ユニットの取付けや取外し作業がさらに容易となる。
【００１１】
【発明の実施の形態】以下に説明する実施例の主要な特徴を列記する。
（形態１）ケーシングの開口部から手の届く範囲にコネクタパネルが設けられている。コネクタパネルはケーシングに固定されている。コネクタパネルには、ケーシング内に配置されている各種電気機器から伸びるケーブル先端に固定されているコネクタが固定されている。基板ユニットからはコネクタ付きのケーブルが延びており、基板ユニット側のコネクタがコネクタパネルに固定されているコネクタに接続される。
【００１２】
【実施例】
以下、本発明の好適な実施形態を説明する。
本発明を具現化した第１実施例を図１から図４を用いて説明する。図１は本実施例の加熱調理器の正面図であり、図２、図３は同加熱調理器の縦断面図であり、図４は同加熱調理器の構成を説明するための縦断面図である。
ここに示す加熱調理器１０は、システムキッチンのキッチンキャビネットに組込まれるビルトイン型加熱調理器である。
図２に示すように、この加熱調理器１０は、キッチンカウンタ１４の取付け孔１４ａに落し込まれて設置されるケーシング１６と、このケーシング１６の上部開口を覆う耐熱強化ガラス製のトッププレート１８と、トッププレート１８の下方に配設される左右一対の誘導加熱部２０と、左右一対の誘導加熱部２０の下方に配設されて誘導加熱部２０を下方から支持する加熱部支持板３０と、加熱部支持板３０の下方に配設されるグリルユニット２２と、グリルユニット２２に並設される基板ユニット２４を備えている。
図１に示すように、ケーシング１６の前方には外装部１２が形成されている。外装部１２はグリルユニット２２の焼成庫（３２：図２参照）の開口部を塞ぐ扉３８と、各種操作スイッチが配された操作パネル６４を有している。なお、図２はケーシング１６の前面の外装部１２のすぐ後方で縦断した断面図である。
【００１３】
図２に示すように、左右一対の誘導加熱部２０のそれぞれには加熱コイル２６が配設されている。これらによってトッププレート１８上に載置された鍋等の被加熱物を誘導加熱する。なお、この加熱調理器１０には２個の加熱コイル２６の中間後方にラジエントヒータ（２８：図３参照）が配設されている。これらの熱源を有する誘導加熱部２０は加熱部支持板３０によって支持されている。
【００１４】
加熱部支持板３０の下方にはグリルユニット２２が配設されている。即ち、ケーシング１６の下方に焼成庫３２が形成され、この焼成庫３２内に２個のグリルヒータ３４が上下に並列して配設されている。これらによって焼成庫３２の下部に収容されるトレイ３６に焼網（図示省略）を介して載せられる魚等の被加熱物を上下方向から加熱する。なお、焼成庫３２の前部には被加熱物を出し入れするための開口部が形成されている。トレイ３６の前方にはこの開口部を塞ぐための扉（３８：図１参照）が形成されており、トレイ３６を焼成庫３２の所定の位置に収容すると、この扉３８によって焼成庫３２の開口部が塞がれる。
【００１５】
加熱部支持板３０の下方にはグリルユニット２２に隣接して基板ユニット２４が配設されている。即ち、基板ユニット２４は操作パネル６４の後方に配設されている。図２、図３に示すように、基板ユニット２４は次のように構成されている。２個の加熱コイル２６を駆動制御する２個のＩＨ基板４０，４２はそれぞれの基板支持板４４，４６に水平に固定されている。また、各熱源やヒータ類２８，３４や後述する冷却ファン４８（図３）の動作を全体的に制御する制御基板５０は基板支持台５２に立てられて固定されている。基板支持板４４，４６と基板支持台５２は互いに独立しており、基板支持台５２上にＩＨ基板４０が固定された基板支持板４４が載置され、さらにこの基板支持板４４の上方を覆うようにＩＨ基板４２が固定された基板支持板４６が重ねられる。即ち、基板支持台５２上には制御基板５０と２個のＩＨ基板４０，４２が互いに独立して載置されている。なお、この基板支持台５２はケーシング１６の底部に載置されているだけであり、固定されていない。
【００１６】
図３に示すように、加熱部支持板３０は、基板ユニット２４の上方に当たる箇所に一段低い段部３０ａが形成されている。この段部３０ａに電源基板６６が固定されている。電源基板６６は電源コード６８によって外部電源と接続される。操作パネル６４の裏面にはコネクタ付きのケーブル５４が配されており、制御基板５０の前面側に配されているコネクタ付きのケーブル５６と着脱自在に接続されている。操作パネル６４に設けられた各種操作スイッチから送信される操作信号は、これらのコネクタ付きのケーブル５４，５６を介して制御基板５０に入力される。
基板ユニット２４の各電子基板４０，４２，５０にはそれぞれコネクタ付きのケーブル５８が接続されており、これらのコネクタ付きのケーブル５８はケーシング１６の前面の開口部近傍に形成されたコネクタパネル６２に着脱自在に接続されている。このコネクタパネル６２には、ケーシング１６内に配置されている各種電気部品から伸びるケーブル（６０：図３参照）に接続されたコネクタが集中している。加熱調理器１０の各種動作に関わる各種電気部品と各電子基板４０，４２，５０はこのコネクタパネル６２で電気的に接続されている。
【００１７】
基板ユニット２４の後方には電子基板４０，４２，５０を強制的に冷却するための冷却ファン４８が配設されている。図示しないファンモータが駆動すると、トッププレート１８の後部に設けられた吸気口１８ａからケーシング１６内に外気を導入する。そして、導入された空気が電子基板４０，４２，５０とこの近傍を空冷する。空冷に用いられた後の空気は吸気口１８ａに並設された図示しない排気口からケーシング１６外に排気される。
【００１８】
ケーシング１６の前面には、操作パネル６４の後方で基板ユニット２４の前方に当たる部分に開口部６３が設けられている。この開口部６３は操作パネル６４によって覆うことができ、且つ基板ユニット２４を通過させることができる形状である。従って、基板ユニット２４をケーシング１６の前面の開口部６３から取付けたり取外したりすることができる。
この基板ユニット２４の取付け・取外しの様子を図４を用いて説明する。加熱調理器１０本体から基板ユニット２４を取外す場合には、まず、操作パネル６４を取外し、操作パネル６４側のコネクタ付きのケーブル５４と基板ユニット２４側のコネクタ付きのケーブル５６の接続を外す。なお、操作パネル６４はケーシング１６の前面にビス止めされているだけであり、加熱調理器１０が設置された状態のままで容易に取外すことができる。次に、コネクタパネル６２から各電子基板のコネクタ付きのケーブル５８を外す。コネクタパネル６２はケーシング１６の開口部６３の近傍に配されており、加熱調理器１０が設置された状態のままで容易にコネクタ付きのケーブル５８を外すことができる。そして、基板支持台５２を前方に引出す。以上の動作により、基板ユニット２４を取外すことができる。なお、加熱調理器１０に基板ユニット２４を取付ける場合には以上の動作を逆の手順で行なう。
【００１９】
本実施例によれば、加熱調理器１０の加熱部支持板３０より下側に配設されている複数の電子基板は集約されて基板支持台５２に取付けられている。また、これらの電子基板を電気的に接続している各コネクタ付きケーブルとコネクタパネル６２との着脱操作や、制御基板５０と操作パネル６４との着脱操作を、ケーシング１６の前面の開口部６３から行なうことができる。さらに、この開口部６３から基板ユニット２４を基板支持台５２ごと前に引出したり押入れたりすることができる。このことから、加熱調理器１０をキッチンカウンタ１４に設置した状態で、容易に基板ユニット２４を取外したり取付けたりすることができる。
【００２０】
本発明を具現化した第２実施例を図５を用いて説明する。図５は本実施例の加熱調理器の構成を説明するための縦断面図である。なお、本実施例の加熱調理器の構成は第１実施例に示した加熱調理器とほぼ同様である。従って、ここでは第１実施例と相違する特徴的な部分のみを説明し、同様な部分の説明は省略する。また、第１実施例と同様な部分については共通の符号を用いる。
図５に示すように、本実施例の加熱調理器１００は、基板ユニット２４と操作パネル６４が一体化されている点において第１実施例の加熱調理器１０と相違している。即ち、加熱調理器１００は、第１実施例と同様に、基板ユニット２４をケーシング１６前面の開口部６３から引出したり押入れたりすることができる。また、各電子基板のコネクタ付きのケーブル５８は第１実施例と同様にコネクタパネル６２に接続されており、ケーシング１６の開口部６３から容易に着脱を行なうことができる。
【００２１】
本実施例では、操作パネル６４は基板ユニット２４の基板支持台５２の前部に固定されており、操作パネル６４からの操作信号は制御基板５０に直接送信される。
この加熱調理器１００本体から基板ユニット２４を取外す場合には、まず、操作パネル６４をケーシング１６に固定しているビスを取外して操作パネル６４ごと前方に引出す。次に、コネクタパネル６２から各電子基板のコネクタ付きのケーブル５８を外す。そして、さらに操作パネル６４を前方に引出して操作パネル６４と一体化した基板ユニット２４を取出す。以上の動作により、操作パネル６４と一体化した基板ユニット２４を容易に取外すことができる。なお、加熱調理器１００に基板ユニット２４を取付ける場合には以上の動作を逆の手順で行なう。
【００２２】
本実施例によれば、第１実施例と同様に、加熱調理器１００の加熱部支持板３０より下側に配設されている複数の電子基板は集約されて基板支持台５２に取付けられている。また、これらの電子基板を電気的に接続しているコネクタ付きのケーブル５８とコネクタパネル６２との着脱操作をケーシング１６前面の開口部６３から行なうことができる。そして、この開口部６３からこの基板ユニット２４を基板支持台５２ごと前に引出したり押入れたりすることができる。さらに、操作パネル６４と基板ユニット２４とが一体化しており、制御基板５０と操作パネル６４とが直接接続されている。このことから、加熱調理器１０をキッチンカウンタ１４に設置した状態で、操作パネル６４を引出したり押入れたりするだけで容易に基板ユニットを取外したり取付けたりすることができる。
【００２３】
本発明を具現化した第３実施例を図６を用いて説明する。図６は本実施例の加熱調理器の構成を説明するための縦断面図である。なお、本実施例の加熱調理器の構成は第１実施例や第２実施例に示した加熱調理器とほぼ同様である。従って、ここでは第１実施例や第２実施例と相違する特徴的な部分のみを説明し、同様な部分の説明は省略する。また、第１実施例や第２実施例と同様な部分については共通の符号を用いる。
図６に示すように、本実施例の加熱調理器２００は、基板ユニット２４と操作パネル６４が一体化されている点において第１実施例の加熱調理器１０と相違しており、さらに各電子基板にコネクタ付きのケーブル５８が配されていない点において第１実施例の加熱調理器１０や第２実施例の加熱調理器１００と相違している。即ち、加熱調理器２００では、第１実施例や第２実施例と同様に、基板ユニット２４をケーシング１６前面の開口部６３から引出したり押入れたりすることができる。また、第２実施例と同様に、操作パネル６４は基板ユニット２４の基板支持台５２の前部に固定されており、操作パネル６４からの操作信号は制御基板５０に直接送信される。
【００２４】
本実施例では、基板ユニット２４の後部に基板ユニット側接続部７０が形成され、基板ユニット２４をケーシング１６内の所定位置に収容したときにこの基板ユニット側接続部７０が当接する箇所にケーシング側接続部７２が形成されている。このケーシング側接続部７２はケーシング１６に固定されている。このケーシング側接続部７２には、ケーシング１６内に配置されている各種電気部品から伸びるケーブル（図示省略）が集中的に接続されている。基板ユニット側接続部７０とケーシング側接続部７２は、基板ユニット２４がケーシング１６内に収容されて操作パネル６４がケーシング１６に当接した状態であるときに接続されている。これらの基板ユニット側接続部７０とケーシング側接続部７２が接続されることによって、各電子基板と各種電気部品が電気的に接続される。従って、第１実施例や第２実施例に配されていたようなコネクタ付きのケーブル（５８：図２〜５参照）は配されていない。
この加熱調理器２００本体から基板ユニット２４を取外す場合には、操作パネル６４をケーシング１６に固定しているビスを取外して操作パネル６４ごと前方に引出す。この動作により、各電子基板と各種電気部品との電気的な接続を絶ち、操作パネル６４と一体化した基板ユニット２４を容易に取外すことができる。なお、加熱調理器２００に基板ユニット２４を取付ける場合には以上の動作を逆の手順で行なう。
【００２５】
本実施例によれば、第１実施例あるいは第２実施例と同様に、加熱調理器２００の加熱部支持板３０より下側に配設されている複数の電子基板が集約されて基板支持台５２に取付けられている。また、この開口部６３からこの基板ユニット２４を基板支持台５２ごと前に引出したり押入れたりすることができる。さらに、操作パネル６４と基板ユニット２４とが一体化しており、制御基板５０と操作パネル６４とが直接接続されている。そして、基板ユニット側接続部７０とケーシング側接続部７２が形成されているため、基板ユニット２４をケーシング１６内の所定位置に設置することによって基板ユニット側接続部７０とケーシング側接続部７２が接続されて各電子基板と各種電気部品とが電気的に接続される。これらのことから、加熱調理器１０をキッチンカウンタ１４に設置した状態で、操作パネル６４を引出したり押入れたりするだけで容易に電子基板を取外したり取付けたりすることができる。
【００２６】
本発明の加熱調理器では、加熱部支持板の下方に配される複数の電子基板が基板ユニットを形成している。電子基板がユニット化しているため、電子基板のメインテナンス時には基板ユニットごと取外して行なえばよい。また、基板ユニットの取外しや取付けは、基板ユニットをケーシングの開口部から引出したり、ケーシング内に押入れたりすることによって容易に行なうことができる。従って、加熱調理器が設置された状態のままで、トッププレート等の他の部品を取外すことなく、ケーシングの前面から基板ユニットの取付けや取外しを容易に行なうことができる。このことによって、電子基板のメインテナンスの際の作業性を向上させることができる。
【００２７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】第１実施例の加熱調理器の正面図。
【図２】同加熱調理器の縦断面図。
【図３】同加熱調理器の縦断面図。
【図４】同加熱調理器の構成を説明するための縦断面図。
【図５】第２実施例の加熱調理器の構成を説明するための縦断面図。
【図６】第３実施例の加熱調理器の構成を説明するための縦断面図。
【符号の説明】
１０：加熱調理器
１２：外装部
１４：キッチンカウンタ、１４ａ：取付け孔
１６：ケーシング
１８：トッププレート、１８ａ：吸気口
２０：加熱部
２２：グリルユニット
２４：基板ユニット
２６：加熱コイル
２８：ラジエントヒータ
３０：加熱部支持板、３０ａ：段部
３２：焼成庫
３４：グリルヒータ
３６：トレイ
３８：扉
４０：ＩＨ基板
４２：ＩＨ基板
４４：基板支持板
４６：基板支持板
４８：冷却ファン
５０：制御基板
５２：基板支持台
５４：コネクタ付きケーブル
５６：コネクタ付きケーブル
５８：コネクタ付きケーブル
６０：ケーブル
６２：コネクタパネル
６３：開口部
６４：操作パネル
６６：電源基板
６８：電源コード
７０：基板ユニット側接続部
７２：ケーシング側接続部
【図１】
2004103486.tif 000003
【図２】
2004103486.tif 000004
【図３】
2004103486.tif 000005
【図４】
2004103486.tif 000006
【図５】
2004103486.tif 000007
【図６】
2004103486.tif 000008